(57)【要約】【課題】精算処理を効率的に実施でき、利用者の利便性を向上させることができる精算処理装置及び精算処理方法を提供する。【解決手段】利用者が提示する情報記憶媒体に記憶されている残額情報および定期券情報を読取り、精算額を算出し、その算出した精算額が読取った残額情報では不足する場合、読取った定期券情報に基づいた払戻可能な金額と読み取った残額情報の金額とを加算した金額により、算出した精算額を精算し、精算に使用した定期券情報からの払戻金額と残額情報からの金額とに応じて情報記憶媒体に記憶されている定期券情報および残額情報を書き換える。【選択図】      図２
2008090429.tif 000002
【特許請求の範囲】
【請求項１】
利用者が所持している情報記憶媒体に記憶されている残額情報により精算額の精算を行う精算処理装置であって、
前記情報記憶媒体に記憶されている情報を読取る読取手段と、
前記読取手段により前記情報記憶媒体から読取った残額情報の金額が前記精算額未満であるか否かを判定する判定手段と、
この判定手段により前記読取手段で前記情報記憶媒体から読取った残額情報の金額が精算額未満であると判定した場合、前記精算額と前記読取手段により前記情報記憶媒体から読み取った残額情報の金額とに基づいて、前記読取手段により前記情報記憶媒体から読取った定期券情報から払戻すべき払戻金額を判定する払戻判定手段と、
前記払戻判定手段により判定した定期券情報からの払戻金額に基づいて前記情報記憶媒体に記憶されている定期券情報を書き換え、前記精算額を前記払戻金額と残額情報の金額とにより精算した金額に基づいて前記情報記憶媒体に記憶されている残額情報を書き換える書換手段と、
を有することを特徴とする精算処理装置。
【請求項２】
さらに、前記書換手段により書き換えられた前記情報記憶媒体の定期券情報を利用者に報知する報知手段を有することを特徴とする請求項１に記載の精算処理装置。
【請求項３】
さらに、前記書換手段により書き換えられた前記情報記憶媒体の残額情報の金額を利用者に報知する報知手段を有することを特徴とする請求項１に記載の精算処理装置。
【請求項４】
さらに、前記判定手段により前記読取手段で前記情報記憶媒体から読取った残額情報の金額が精算額未満であると判定した場合、前記情報記憶媒体に定期券情報を払戻して残額情報として利用することを許可する旨の情報が記憶されているか否かにより前記定期券情報の払戻を行うか否かを判断する払戻確認手段を有することを特徴とする前記請求項１に記載の精算処理装置。
【請求項５】
前記払戻判定手段は、前記精算額に対する前記読取手段により読み取った残額情報の金額の不足金額に応じて、定期券情報からの払戻日数と払戻金額とを判定する、ことを特徴とする前記請求項１に記載の精算処理装置。
【請求項６】
前記払戻判定手段は、
前記精算額に対する前記読取手段により前記情報記憶媒体から読み取った残額情報の金額の不足金額と、前記読取手段により前記情報記憶媒体から読取った定期券情報の有効区間とに基づいて、前記不足金額を満たす為に必要な払戻日数を算出する払戻日数算出手段と、
前記払戻日数算出手段により算出した払戻日数による払戻金額を算出する払戻金額算出手段と、を有していることを特徴とする請求項５に記載の精算処理装置。
【請求項７】
前記書換手段は、前記情報記憶媒体に記憶されている定期券の有効期間を前記払戻判定部により判定された払戻日数を減算した有効期間に書換え、前記情報記憶媒体に記憶されている残額情報の金額を前記読取手段により前記情報記憶媒体から読み取った金額と前記払戻判定部により判定された払戻日数に応じた払戻金額との和から前記精算額を差し引いた金額に書き換える、ことを特徴とする請求項５又は６に記載の精算処理装置。
【請求項８】
利用者が所持している情報記憶媒体に記憶されている情報を読取る読取手段と、
前記読取手段により前記情報記憶媒体から読み取った入場情報と定期券情報とに基づいて定期券情報での通行の可否を判定する第１の判定手段と、
この第１の判定手段により前記定期券情報での通行が不許可であると判定した場合、前記読取手段により前記情報記憶媒体から読み取った入場情報と定期券情報とに基づいて精算額を算出する精算額算出手段と、
前記読取手段により前記情報記憶媒体から読取った残額情報の金額が前記精算額算出手段により算出した精算額未満であるか否かを判定する第２の判定手段と、
この第２の判定手段により前記読取手段で前記情報記憶媒体から読取った残額情報の金額が前記精算額算出手段により算出した精算額未満であると判定した場合、前記読取手段により前記情報記憶媒体から読み取った残額情報の金額と前記精算額算出手段により算出した精算額とに基づいて、前記読取手段により前記情報記憶媒体から読取った定期券情報から払戻すべき払戻金額を判定する払戻判定手段と、
この払戻判定手段による判定した定期券情報からの払戻金額に基づいて前記情報記憶媒体に記憶されている定期券情報を書き換え、前記精算額を前記払戻金額と前記読取手段により前記情報記憶媒体から読み取った残額情報の金額とにより精算した金額に基づいて前記情報記憶媒体に記憶されている残額情報を書き換える書換手段と、
この書換手段による前記情報記憶媒体の書換えが成功した場合、あるいは、前記第１の判定手段により前記定期券情報での通行が許可であると判定した場合、当該利用者の通行を許可する通行制御手段と、
を有することを特徴とする改札機。
【請求項９】
利用者が所持している情報記憶媒体に記憶されている残額情報により精算額の精算を行う精算処理方法であって、
前記情報記憶媒体に記憶されている情報を読取り、
前記情報記憶媒体から読取った残額情報の金額が前記精算額未満であるか否かを判定し、
この判定により前記情報記憶媒体から読取った残額情報の金額が精算額未満であると判定した場合、前記精算額と前記情報記憶媒体から読み取った残額情報の金額とに基づいて、前記情報記憶媒体から読取った定期券情報から払戻すべき払戻金額を判定し、
前記判定した定期券情報からの払戻金額に基づいて前記情報記憶媒体に記憶されている定期券情報を書き換え、前記精算額を前記払戻金額と前記情報記憶媒体から読み取った残額情報の金額とにより精算した金額に基づいて前記情報記憶媒体に記憶されている残額情報を書き換える、
ことを特徴とする精算処理方法。
【請求項１０】
利用者が所持している情報記憶媒体に記憶されている情報を読取り、
前記情報記憶媒体から読み取った入場情報と定期券情報とに基づいて定期券情報での通行の可否を判定し、
この通行の可否の判定により前記定期券情報での通行が不許可であると判定した場合、前記情報記憶媒体から読み取った入場情報と定期券情報とに基づいて精算額を算出し、
前記情報記憶媒体から読取った残額情報の金額が前記算出した精算額未満であるか否かを判定し、
この判定により前記情報記憶媒体から読取った残額情報の金額が前記算出した精算額未満であると判定した場合、前記情報記憶媒体から読み取った残額情報の金額と前記算出した精算額とに基づいて、前記情報記憶媒体から読取った定期券情報から払戻すべき払戻金額を判定し、
この判定した定期券情報からの払戻金額に基づいて前記情報記憶媒体に記憶されている定期券情報を書き換え、前記精算額を前記払戻金額と前記情報記憶媒体から読み取った残額情報の金額とにより精算した金額に基づいて前記情報記憶媒体に記憶されている残額情報を書き換え、
前記情報記憶媒体の書換えが成功した場合、あるいは、前記判定により前記定期券情報での通行が許可であると判定した場合、当該利用者の通行を許可する、
ことを特徴とする改札方法。
【発明の詳細な説明】
【技術分野】
【０００１】
この発明は、例えば、料金の精算に利用可能である残額情報と、定期券の有効期間と、有効区間とを有する定期券に対して、料金の精算処理を行なう精算処理装置、改札機、精算処理方法及び改札方法に関する。
【背景技術】
【０００２】
鉄道各社の駅には、各種の駅務処理を行う駅務機器が設置されている。このような駅務機器では、入場券、定期券、乗車券、ストアードフェアカード（ＳＦカード）などの情報記憶媒体に対して種々の処理を行うようになっている。また、近年では、駅務機器で処理可能な情報記憶媒体として、ＳＦデータ（残額情報）を加算することができるＳＦカードと、定期券とが一体となったものなどが広く用いられている。さらに、近年では、上記のような情報記憶媒体のＳＦデータを利用して、小売店や自動販売機で買い物をすることができる精算処理端末が実用化されている。  
従来、定期券の払戻しの処理は、窓口で係員が払戻金額を算出し、その算出された金額の現金を利用者に返金する形で実施されている。この為、利用者が定期券の払戻しを受けるには、係員窓口に定期券を持ち込む必要があり、大変手間である。このような問題を解決する為、定期券とＳＦカードとが一体となった情報記憶媒体の払戻しを行なう場合、払戻金を情報記憶媒体の残額情報に加算することにより、係員の手を経ずに定期券の払戻しを受けることのできる定期券払戻機が提示されている（例えば特許文献１参照）。
【０００３】
しかしながら、上記した従来の定期券払戻機では、払戻しを実施する為に、利用者が、専用の機器を操作する必要がある為、やはり手間であるという問題がある。さらには、払戻しの際に、残額、払戻し額、あるいは、精算額などを簡単に把握できない為、必要な金額のみを払戻しすることも難しい。  
また、上記した残額情報を加算することができるＳＦカードでは、専用の機器を操作したり、精算処理を行ったりする時でないと、残額を確認することができなく、残額の把握が難しい。この為、例えば、情報記憶媒体を使用して精算処理を行なう際、残額が不足し、精算を済ませることができないことがありうるという問題もある。
【特許文献１】特開２００３−２６３６５７号公報
【発明の開示】
【発明が解決しようとする課題】
【０００４】
本発明の一形態は、上記した問題点を解決するものであり、精算処理を効率的に実施でき、利用者の利便性を向上させることができる精算処理装置、改札機、精算処理方法及び改札方法を提供することにある。
【課題を解決するための手段】
【０００５】
本発明の一実施形態としての精算処理装置は、利用者が所持している情報記憶媒体に記憶されている残額情報により精算額の精算を行う精算処理装置であって、前記情報記憶媒体に記憶されている情報を読取る読取手段と、前記読取手段により前記情報記憶媒体から読取った残額情報の金額が前記精算額未満であるか否かを判定する判定手段と、この判定手段により前記読取手段で前記情報記憶媒体から読取った残額情報の金額が精算額未満であると判定した場合、前記精算額と前記読取手段により前記情報記憶媒体から読み取った残額情報の金額とに基づいて、前記読取手段により前記情報記憶媒体から読取った定期券情報から払戻すべき払戻金額を判定する払戻判定手段と、前記払戻判定手段により判定した定期券情報からの払戻金額に基づいて前記情報記憶媒体に記憶されている定期券情報を書き換え、前記精算額を前記払戻金額と残額情報の金額とにより精算した金額に基づいて前記情報記憶媒体に記憶されている残額情報を書き換える書換手段とを有する。
【０００６】
本発明の一実施形態としての改札機は、利用者が所持している情報記憶媒体に記憶されている情報を読取る読取手段と、前記読取手段により前記情報記憶媒体から読み取った入場情報と定期券情報とに基づいて定期券情報での通行の可否を判定する第１の判定手段と、この第１の判定手段により前記定期券情報での通行が不許可であると判定した場合、前記読取手段により前記情報記憶媒体から読み取った入場情報と定期券情報とに基づいて精算額を算出する精算額算出手段と、前記読取手段により前記情報記憶媒体から読取った残額情報の金額が前記精算額算出手段により算出した精算額未満であるか否かを判定する第２の判定手段と、この第２の判定手段により前記読取手段で前記情報記憶媒体から読取った残額情報の金額が前記精算額算出手段により算出した精算額未満であると判定した場合、前記読取手段により前記情報記憶媒体から読み取った残額情報の金額と前記精算額算出手段により算出した精算額とに基づいて、前記読取手段により前記情報記憶媒体から読取った定期券情報から払戻すべき払戻金額を判定する払戻判定手段と、この払戻判定手段による判定した定期券情報からの払戻金額に基づいて前記情報記憶媒体に記憶されている定期券情報を書き換え、前記精算額を前記払戻金額と前記読取手段により前記情報記憶媒体から読み取った残額情報の金額とにより精算した金額に基づいて前記情報記憶媒体に記憶されている残額情報を書き換える書換手段と、この書換手段による前記情報記憶媒体の書換えが成功した場合、あるいは、前記第１の判定手段により前記定期券情報での通行が許可であると判定した場合、当該利用者の通行を許可する通行制御手段とを有する。
【０００７】
本発明の一実施形態としての精算処理方法は、利用者が所持している情報記憶媒体に記憶されている残額情報により精算額の精算を行う精算処理方法であって、前記情報記憶媒体に記憶されている情報を読取り、前記情報記憶媒体から読取った残額情報の金額が前記精算額未満であるか否かを判定し、この判定により前記情報記憶媒体から読取った残額情報の金額が精算額未満であると判定した場合、前記精算額と前記情報記憶媒体から読み取った残額情報の金額とに基づいて、前記情報記憶媒体から読取った定期券情報から払戻すべき払戻金額を判定し、前記判定した定期券情報からの払戻金額に基づいて前記情報記憶媒体に記憶されている定期券情報を書き換え、前記精算額を前記払戻金額と前記情報記憶媒体から読み取った残額情報の金額とにより精算した金額に基づいて前記情報記憶媒体に記憶されている残額情報を書き換える。
【０００８】
本発明の一実施形態としての改札方法は、利用者が所持している情報記憶媒体に記憶されている情報を読取り、前記情報記憶媒体から読み取った入場情報と定期券情報とに基づいて定期券情報での通行の可否を判定し、この通行の可否の判定により前記定期券情報での通行が不許可であると判定した場合、前記情報記憶媒体から読み取った入場情報と定期券情報とに基づいて精算額を算出し、前記情報記憶媒体から読取った残額情報の金額が前記算出した精算額未満であるか否かを判定し、この判定により前記情報記憶媒体から読取った残額情報の金額が前記算出した精算額未満であると判定した場合、前記情報記憶媒体から読み取った残額情報の金額と前記算出した精算額とに基づいて、前記情報記憶媒体から読取った定期券情報から払戻すべき払戻金額を判定し、この判定した定期券情報からの払戻金額に基づいて前記情報記憶媒体に記憶されている定期券情報を書き換え、前記精算額を前記払戻金額と前記情報記憶媒体から読み取った残額情報の金額とにより精算した金額に基づいて前記情報記憶媒体に記憶されている残額情報を書き換え、前記情報記憶媒体の書換えが成功した場合、あるいは、前記判定により前記定期券情報での通行が許可であると判定した場合、当該利用者の通行を許可する。
【発明の効果】
【０００９】
この発明の一形態によれば、精算処理を効率的に実施でき、利用者の利便性を向上させることができる精算処理装置、改札機、精算処理方法及び改札方法を提供することができる。
【発明を実施するための最良の形態】
【００１０】
まず、この発明の一実施形態ついて図面を参照して説明する。  
図１は、一実施形態に係る種々の駅務機器から構成される駅務システムの構成例を示す図である。上記駅務システムは、鉄道などの交通機関における種々の駅務処理を行う種々の駅務機器から構成されるシステムである。上記駅務システムでは、利用者が所持する定期券、乗車券、ＳＦカードなどの情報記憶媒体を用いて、鉄道などの交通機関の利用を可能とするものである。上記駅務システムを構成する各駅務機器は、ＩＣカードなどにより構成される情報記憶媒体を処理する機能を有し、情報記憶媒体の処理装置（精算処理装置）として機能するものである。
【００１１】
上記駅務システムは、図１に示すように、改札機１、ホストコンピュータ３、券売機４、及び精算機５から構成されている。上記改札機１、券売機４及び精算機５などの駅務機器は、情報記憶媒体としてのＩＣカード２を処理する機能を有し、精算処理装置として機能するものである。なお、ここでは、駅務機器で処理される情報記憶媒体は、ＩＣカードで構成されるものとするが、磁気情報を記憶する記憶媒体であってもよい。また、ここでは、特に、ＩＣカード２は、定期券としての機能とＳＦカードとしての機能とを有しているものとする。
【００１２】
上記改札機１は、駅の改札口などに設置され、改札口で利用者の所持する上記ＩＣカード２に基づく改札処理を行うものである。上記券売機４は、各駅などに設置され、利用者から金額を受領して、上記ＩＣカード２を新規に発券したり、上記ＩＣカード２に記録されている情報を更新したりするものである。上記精算機５は、各駅の構内に設置され、乗り越しなどの利用者に対する乗車料金の精算処理を行うものである。上記ホストコンピュータ３は、電鉄会社の管理センタなどに設置されている。上記ホストコンピュータ３は、発行済みの定期券情報に関する情報を管理したり、当該駅務システム内における各駅務機器の運用状況や運用データなどの管理を行う機能を有している。なお、各駅務機器は、駅（駅Ｂ、駅Ｃ、駅Ｄ、駅Ｅ、駅Ｆ・・・）にも設置され、駅務システム全体を構成している。このような駅務システムでは、各駅において、利用者に対する駅構内への入場あるいは駅構内からの出場などに関する業務を各駅務機器を用いて実施している。
【００１３】
次に、上記改札機１の構成について詳細に説明する。  
図２は、図１に示す改札機１の構成例を示すブロック図である。図２に示すように、上記改札機１は、制御部１１、メモリ１３、通信部１４、ＩＣカード処理部１５、通行制御部１６、及び表示部１７などを有している。
【００１４】
上記制御部１１は、上記改札機１全体の制御を司るものである。上記制御部１１は、ＣＰＵ、メモリ１３上記制御部１１ＣＰＵの作業領域として機能するバッファメモリ、上記ＣＰＵが実行する種々のプログラムや制御データなどが記憶されているプログラムメモリなどから構成される。上記制御部１１では、ＣＰＵがプログラムを実行することにより種々の機能を実現している。上記メモリ１３は、運賃情報などが記憶されている。上記通信部１４は、図１に示すホストコンピュータ３とデータの通信を行なう為の外部通信ユニットである。
【００１５】
上記ＩＣカード処理部１５は、利用者が所持する情報記憶媒体としてのＩＣカード２を処理するものである。上記ＩＣカード処理部１５では、上記制御部１１からの指示に基づいて、上記ＩＣカード２の記憶内容を読み取ったり、上記ＩＣカード２にデータを書き込んだりする。上記通行制御部１６は、利用者の通行を制御するものである。上記通行制御部１６は、例えば、利用者の通行を阻止するドア（図示せず）、このドアを制御するドア開閉機構（図示せず）などから構成されている。上記表示部１７は、利用者への案内表示などを表示する表示装置などから構成されている。
【００１６】
次に上記制御部１１が有している種々の機能について説明する。  
上記制御部１１は、図２に示すように、読取処理部１１１、判定部１１２及び書換処理部１１３などの機能を有している。  
上記読取処理部１１１は、利用者が提示する上記ＩＣカード２に記憶されている情報を読み取る処理を行うものである。たとえば、上記読取処理部１１１は、ＩＣカード２に記憶されている料金の精算に利用可能である残額情報、定期券情報（有効な区間の情報、及び有効な期間の情報）などを上記ＩＣカード処理部１５により読取る処理を行う。
【００１７】
上記判定部１１２は、上記ＩＣカード２から読み取った情報に基づいて利用者の通行可否を判定する処理を行うものである。上記判定部１１２では、上記ＩＣカード２から読み取った情報に基づいて精算処理を行い、利用者の通行の可否を判定する。上記判定部１１２は、精算額算出部１２１、払戻確認部１２２、払戻判定部１２３などを有している。また、上記払戻判定部１２３は、換算部１３１、払戻日数算出部１３２、及び払戻金額算出部１３３などを有している。
【００１８】
上記精算額算出部１２１は、上記ＩＣカード２に記憶されている入場情報、定期券情報、および、上記メモリ１３０に記憶されている運賃情報などに基づいて精算額を算出する。
【００１９】
上記払戻確認部１２２は、上記精算額算出部１２１により算出した精算額が上記読取処理部１１１によりＩＣカード２から読取った残額情報では不足する場合、後述する定期券の払戻処理を実行するか否かを上記ＩＣカード２の記憶内容に基づいて判定する。
【００２０】
上記払戻判定部１２３では、上記ＩＣカード２に記憶されている定期券情報としての定期券の払戻金額を判定する処理を行うものである。なお、ここでは、運用形態として、１日単位で定期券の払戻が可能であることを想定している。
【００２１】
上記換算部１３１は、上記読取処理部１１１により読取った定期券情報の有効期間と有効区間とに基づいて、既定の計算式により、上記ＩＣカード２の定期券に対する日割りの払戻金額を算出する。なお、定期券の払戻に対して手数料等の金額を設定する場合には、日割りの払戻金額を算出するための計算式に反映させておけば良い。また、ここでは、上述したような運用形態として、１日単位で定期券の払戻が可能であることを想定しているため、上記換算部１３１では、日割りの金額を算出するものとしている。運用形態として、１週間単位、あるいは、１ヶ月単位で定期券の払戻が行われる運用形態であれば、上記換算部１３１では、１週間単位、あるいは、１ヶ月単位での払戻金額を算出するようにすれば良い。
【００２２】
上記払戻日数算出部１３２は、定期券の払戻日数を算出するものである。たとえば、上記払戻日数算出部１３２では、上記精算額算出部１２１により算出した精算額に対する上記ＩＣカード２の残額情報の不足金額と、上記換算部１３１により算出した上記ＩＣカード２の定期券に対する日割りの払戻金額とに基づいて、上記不足金額を満たす為に必要な定期券の払戻日数を計算する。なお、運用形態として、１週間単位、あるいは、１ヶ月単位で定期券の払戻が行われる運用形態であれば、上記払戻日数算出部１３２では、１週間単位、あるいは、１ヶ月単位で払戻の週数あるいは月数を算出するようにすれば良い。
【００２３】
上記払戻金額算出部１３３は、上記換算部１３１により算出した上記ＩＣカード２の定期券に対する日割りの払戻金額と、上記払戻日数算出部１３２により計算した払戻日数とを積算することにより、定期券の払戻金額を算出する。
【００２４】
上記書換処理部１１３は、上記ＩＣカード２に記憶されている情報を書き換える処理を行うものである。つまり、上記書換処理部１１３は、上記ＩＣカード処理部１５により上記ＩＣカード２に記憶されている残額情報の金額、あるいは、上記ＩＣカード２に記憶されている定期券情報の有効期間などを書き換える処理を行う。
【００２５】
たとえば、後述する定期券の払戻処理を実行する場合、上記書換処理部１１３は、上記払戻判定部１２３による判定結果（定期券の払戻後の有効期限）に応じて、上記ＩＣカード２に記憶されている定期券情報の有効期限を上記ＩＣカード処理部１５により書き換える処理を行う。また、後述する定期券の払戻処理を含む精算処理を実行する場合、上記書換処理部１１３では、上記払戻判定部１２３による判定結果（定期券の払戻と精算後の残額）に応じて、上記ＩＣカード２に記憶されている残額情報の金額を書き換える処理を行う。
【００２６】
なお、図２では、改札機１内の構成例について示したが、精算機５も、上記通行制御部１６以外は上記改札機１と同等な構成を設けるようにしても良い。この場合、上記精算機５では、上記改札機１の構成による定期券の払戻処理を含む精算処理と同様な精算処理が実現できる。また、上記券売機４についても上記改札機１と同様な精算処理を実現する構成を具備するようにしても良い。
【００２７】
次に、上記ＩＣカード２の構成について詳細に説明する。  
図３は、図１に示すＩＣカード２の内部構成例を概略的に示すブロック図である。なお、ここでは、上記ＩＣカード２は、定期券としての機能とＳＦカードとしての機能を有した情報記憶媒体であるものとする。つまり、上記ＩＣカード２には、定期券として利用可能な定期券情報と、ＳＦカードとして利用可能なＳＦ情報（残額情報など）とが記憶されているものとする。  図３に示すように、上記ＩＣカード２は、通信部２１０、制御部２２０、ＲＡＭ２３０、ＲＯＭ２４０、および不揮発性メモリ２５０などを有している。上記通信部２１０、制御部２２０、ＲＡＭ２３０、ＲＯＭ２４０、および不揮発性メモリ２５０は、例えば、ＩＣチップ（図示しない）などによりモジュール化され、上記ＩＣカード２の筐体内に埋設されている。
【００２８】
上記通信部２１０は、図２に示す改札機１のＩＣカード処理部１５とのデータの送受信を行なうための通信インターフェースとして機能する。たとえば、上記ＩＣカード２が非接触式のＩＣカードである場合、上記通信部２１０は、アンテナおよび通信制御部などにより構成され、上記ＩＣカード処理部１５との電波の送受信によりデータ通信を行うようになっている。
【００２９】
上記制御部２２０は、当該ＩＣカード２全体の制御を司るものである。上記制御部２２０は、上記ＲＯＭ２４０あるいは不揮発性メモリ２５０に記憶された制御プログラムに基づいて動作することにより種々の機能を実現している。上記ＲＡＭ２３０は、ワーキングメモリとして機能する揮発性のメモリである。上記ＲＡＭ２３０は、上記制御部２２０が処理中のデータなどを一時保管するバッファメモリとして機能する。例えば、上記ＲＡＭ２３０は、上記通信部２１０を介して上記改札機１から受信したデータあるいは上記改札機１へ送信するデータなどを一時的に保管するようになっている。
【００３０】
上記ＲＯＭ２４０は、予め制御用のプログラムや制御データなどが記憶されている不揮発性のメモリである。上記ＲＯＭ２４０は、製造段階で上記ＩＣカード２内に組み込まれるものである。上記ＲＯＭ２４０に記憶されている制御プログラムは、予め当該ＩＣカード２の仕様に応じて組み込まれるものである。
【００３１】
上記不揮発性メモリ２５０は、例えば、ＥＥＰＲＯＭあるいはフラッシュＲＯＭなどのデータの書き込み及び書き換えが可能な不揮発性のメモリにより構成される。上記不揮発性メモリ２５０には、上記ＩＣカード２の運用用途に応じてプログラムファイルやデータファイルなどが定義され、それらのファイルにデータが書き込まれる。ここでは、上記不揮発性メモリ２５０には、当該ＩＣカード２を駅構内への入場及び駅構内からの出場などを行うための乗車券として利用するための種々の情報が記憶される。
【００３２】
次に、上記不揮発性メモリ２５０に記憶されている情報について説明する。  
上記不揮発性メモリ２５０には、図２に示すように、定期券情報２５１、残額情報２５４、フラグ情報２５５、及び、入出場情報２５６などが記憶されているようになっている。
【００３３】
上記定期券情報２５１としては、区間情報２５２および有効期間情報２５３などを含んでいる。上記区間情報２５２は、当該ＩＣカード２が定期券として有効な区間を示す情報である。上記有効期間情報２５３は、当該区間の定期券としての利用が有効な期間を示す情報である。
【００３４】
上記残額情報２５４は、料金の精算に利用可能である金額情報である。上記残額情報２５４としての金額情報は、例えば、図１に示す券売機４に上記ＩＣカード２を挿入し、金銭を支払うことにより、支払った金額が加算されるようになっている。
【００３５】
上記フラグ情報２５５は、当該ＩＣカード２の利用条件などを示す情報である。ここでは、上記フラグ情報２５５は、上記精算額算出部１２１により算出した精算額が上記読取処理部１１１により読取った上記ＩＣカード２の残額情報では不足する場合に、定期券情報の払戻を許可するか否かを示す情報である。例えば、当該ＩＣカード２の定期券の払戻を許可する場合、上記フラグ情報２５５は、「オン（可）」に設定される。当該ＩＣカード２の定期券の払戻を不許可とする場合、上記フラグ情報２５５は、「オフ（不可）」に設定される。また、上記フラグ情報２５５は、たとえば、上記ＩＣカード２に記憶される定期券情報としての定期券が発行される際に、設定される。また、上記フラグ情報２５５は、図１に示す券売機４、若しくは、精算機５により設定できるようにしても良い。この場合、券売機４あるいは精算機５は、利用者による定期券の払戻の可否を指定する操作に応じて、利用者が提示したＩＣカード２に記憶されているフラグ情報を変更するようにすれば良い。
【００３６】
上記入出場情報２５６は、当該ＩＣカード２を用いた入場情報および出場情報である。入場情報は、入場駅名、入場時刻あるいはＳＦ機能による入場時の引去額などの当該ＩＣカード２を用いた駅構内への入場に関する情報である。また、出場情報は、出場駅名、出場時刻あるいはＳＦ機能による出場時の引去額などの当該ＩＣカード２を用いた駅構内からの出場に関する情報である。たとえば、当該ＩＣカード２を用いた駅構内から出場する場合、上記改札機１では、入場情報、定期券情報、残額情報などに基づいて出場の可否が判定される。
【００３７】
図４は、図１に示すＩＣカード２の表示面の一例を示す図である。  
上記ＩＣカード２の本体は、矩形状に形成されている。上記ＩＣカード２の本体の表面には、矩形状の表示面２６１が形成されている。上記表示面２６１には、表示画像として、上記ＩＣカード２固有の識別番号２６２と、定期券として有効な区間を示す有効区間２６３と、定期券として有効な期間を示す有効期間２６４と、上記の払戻処理の実行を許可する定期券であるか否かを示す種別２６５とが印刷されている。さらに、上記表示面２６１には、表示画像として、通勤通学の種別、購入額、発行日、発行場所、利用者の年齢、利用者の性別、及び利用者の氏名が印刷されている。上記表示面２６１は、定期券発行装置（図示しない）、あるいは券売機４、精算機５などに具備される印刷機構により印刷内容が書換可能となっている。
【００３８】
上記識別番号２６２は、当該ＩＣカード２を識別するための番号である。なお、上記識別番号２６２は、当該ＩＣカード２の定期券を識別するための番号であっても良い。この識別番号２６２により、駅務システムでは、サーバ装置（図示しない）などで定期券情報等が関連付けられて管理されている。有効区間２６３、及び有効期間２６４は、上記定期券の発行時などに印刷されるものである。また、後述する定期券の払戻処理によって有効期限が変更された場合、上記ＩＣカード２の表示面２６１への印刷機構を有する定期券発行機（図示しない）あるいは券売機４、精算機５では、当該ＩＣカード２の不揮発性メモリ２５０に記憶されている有効期間情報２５３に基づいて有効期間２６４が書き換えられるようにしても良いＩＣカード２。ＩＣカード２券売機４上記種別２６５は、上記ＩＣカード２の残額情報が精算額に不足する場合、定期券の払戻を許可するか否かを示す情報である。上記種別２６５は、上記ＩＣカード２に記憶されている定期券情報の発行時に表示面２６１に印刷される。また、表示面２６１への印刷機構を有する券売機４または精算機５による設定変更時にも、上記種別２６５は、上記ＩＣカード２の不揮発性メモリ２５０に記憶されているフラグ情報２５５とともに、書換えられる。たとえば、上記フラグ情報２５５が「オン（可）」である場合、上記種別２６５は、「自動払戻：可」とされる。上記フラグ情報２５５が「オフ（否）」である場合、上記種別２６５は、「自動払戻：不可」とされる。
【００３９】
次に、本システムにおける払戻処理及び精算処理について概略的に説明する。  
図５は、図１に示すＩＣカード２ａに対して実行される払戻処理及び精算処理を概略的に説明する為の説明図である。  
ここでは、ＩＣカード２ａは定期券情報２５１ａと残額情報２５４ａを有しているものとする。また、上記定期券情報２５１ａは、有効区間がＣ駅―Ｂ駅間であり、有効期間が期限日までＸ日であるものとする。また、上記残額情報２５４ａは、料金の精算に利用可能である金額がＹ円であるものとする。
【００４０】
上記ＩＣカード２ａを所持する利用者が定期券の有効区間外の駅の改札機１で出場する場合を想定するものとする。この場合、上記改札機１は、当該利用者が提示するＩＣカード２ａの定期券情報が有効区間外であると判定する。定期券情報が区間外であると判定すると、上記改札機１は、当該ＩＣカード２ａがＳＦカード機能を有しているため、上記精算額算出部１２１により入場情報と定期券情報と出場駅（当該駅）情報とＩＣカード２に基づいて、当該駅で出場するために必要な精算額（Ｗ円）を算出する。
【００４１】
上記精算額算出部１２１により精算額を算出すると、上記改札機１は、上記残額情報の金額（Ｙ円）が上記精算額（Ｗ円）以上であるか否かを判定する。上記残額情報の金額（Ｙ円）が上記精算額（Ｗ円）以上であると判定した場合、上記改札機１は、当該ＩＣカード２ａの残額情報を元の残額情報の金額（Ｙ円）から上記精算額（Ｗ円）を減算した金額に書換えることにより、当該利用者の出場を許可する。この場合、当該ＩＣカード２ａの定期券の払戻は行われずに、当該ＩＣカード２ａの残額情報のみで精算が完了する。
【００４２】
また、上記残額情報の金額（Ｙ円）が上記精算額（Ｗ円）未満であると判定した場合、上記改札機１は、現在の残額（Ｙ円）では不足金額が生じるため、当該ＩＣカード２ａのフラグ情報２５５がオンであれば、当該ＩＣカード２ａの定期券の払戻を実行する。上記精算額の不足金額を補うための定期券の払戻を行うと判断した場合、上記改札機１では、上記払戻判定部１２３により上記定期券情報２５１ａと既定の計算式（定期券の払戻金額を算出するための所定の計算式）に基づいて、上記ＩＣカード２ａの定期券情報２５１ａから払戻可能な日割りの払戻金額と払戻日数とを判定する。
【００４３】
ここでは、１日単位で定期券の払戻が可能な運用形態を想定している。このため、上記払戻判定部１２３では、上記換算部１３１により払戻可能な金額の１日あたりの金額（日割りの払戻金額）（Ｚ円）を算出する。たとえば、上記換算部１３１では、残りの有効期限（Ｘ日）を全て払戻した場合の金額（残額払戻の金額）を残りの有効期間（Ｘ日）で割ることにより日割りの払戻金額（Ｚ円）を算出する。日割りの払戻金額（Ｚ円）を算出すると、上記払戻判定部１２３では、上記払戻日数算出部１３２により上記不足金額を満たす為に必要な払戻日数（Ｖ日）を算出する。つまり、上記払戻日数算出部１３２は、上記不足金額と上記日割りの払戻金額（Ｚ円）とから、上記不足金額を満たす為に必要な払戻日数（Ｖ日）を計算する。
【００４４】
上記払戻判定部１２３では、上記換算部１３１により算出した上記日割りの払戻金額（Ｚ円）と、上記払戻日数算出部１３２により計算した払戻日数（Ｖ日）とを上記払戻金額算出部１３３により積算することにより払戻金額（Ｚ×Ｖ円）を算出する。
【００４５】
上記払戻判定部１２３により払戻日数（Ｖ日）と払戻金額（Ｚ×Ｖ円）とが算出されると、上記制御部１１では、上記書換処理部１１３により上記ＩＣカード２ａに記憶されている定期券情報２５１ａの有効期間としての「Ｘ日」を、払戻日数算出部１３２新しい有効期間としての「Ｘ−Ｖ日」に書き換え、上記ＩＣカード２ａに記憶されている残額情報２５４ａの金額としての「Ｙ円」を新しい残額としての「Ｙ＋Ｚ×Ｖ−Ｗ円」に書き換える処理を行う。以上の処理により、上記ＩＣカード２ａに対する定期券の払戻処理と精算処理とが完了し、当該利用者の当該駅での出場が許可される。
【００４６】
上記のような払戻処理及び精算処理が実行されると、上記ＩＣカード２ａに記憶されていた定期券情報２５１ａと残額情報２５４ａとは、図５に示すように、定期券情報２５１ｂと残額情報２５４ｂとに書き換えられる。上記定期券情報２５１ｂは、有効期限が元の残りの有効期間「Ｘ日」から払戻日数「Ｖ日」を減算した新たな有効期間「Ｖ−Ｘ日」に更新されている。また残額情報２５４ｂは、元の残額情報の金額「Ｙ円」に払戻金額「Ｚ×Ｖ円」を加算し、そこから精算額「Ｗ円」を減算した新しい残額「Ｙ＋Ｚ×Ｖ−Ｗ円」に更新されている。
【００４７】
例えば、ＩＣカード２ａの定期券情報２５１ａが、有効区間が「Ａ駅―Ｂ駅間」であり、有効期間が期限日までの１０日であり、上記残額情報２５４ａは、金額が５００円であるものとする。このようなＩＣカード２ａの利用者が定期券の有効区間外の駅（Ｃ駅）の改札機１で出場する場合に、６５０円の精算額が発生したとする。この場合、上記改札機１では、上記払戻判定部１２３の換算部１３１により払戻可能な金額の１日あたりの金額を算出する。ここで、日割りの払戻金額が２９０円であるものとすると、上記払戻判定部１２３では、上記払戻日数算出部１３２により上記換算部１３１で算出した日割りの払戻金額（２９０円）と不足金額（６５０−５００円）から払戻日数（１日）を判定する。上記払戻日数が１日であると判定されると、上記払戻判定部１２３は、上記払戻金額算出部１３３により払戻金額（２９０×１円）を算出する。
【００４８】
従って、上記制御部１１では、上記書換処理部１１３により上記ＩＣカード処理部１５で当該ＩＣカード２ａのＩＣカード２有効期間を「１０−１＝９日」に書き換え、残額情報の金額を「５００＋２９０×１−６５０＝１４０円」に書き換える。このような書換処理の完了に応じて、上記制御部１１９では、当該利用者の通行を許可する。
【００４９】
次に、上記改札機１での定期券の払戻処理を含む改札処理について詳細に説明する。  
図６及び図７は、図２に示す改札機１において実行される払戻処理及び精算処理を説明するフローチャートである。なお、ここでは、上記ＩＣカード２ａを所持する利用者が定期券情報の有効区間外で改札で出場する場合を想定するものとする。つまり、ここでは、定期券情報の有効区間外の区間を残額情報によって精算する場合を想定している。
【００５０】
まず、利用者が上記ＩＣカード２ａを上記改札機１のＩＣカード処理部１５に提示すると、上記改札機１の制御部１１は、上記読取処理部１１１により上記ＩＣカード２ａに記憶されている入場情報、定期券情報２５１ａ、残額情報２５４ａ、および、フラグ情報２５５などの情報を読み取る（ステップＳ１１）。なお、ここでは、入場情報、定期券情報、残額情報およびフラグ情報が読み取られたものとする。但し、運用形態によっては、入場情報がない場合、上記判定部１１２は、当該ＩＣカード２ａでの出場を不可と判定するようにしても良い。
【００５１】
上記ＩＣカード２ａに記憶されている情報を読み取ると、上記改札機１の制御部１１は、上記判定部１１２により定期券情報との出場が可能か否かを判定する（ステップＳ１２、Ｓ１３）。すなわち、上記判定部１１２は、上記読取処理部１１１による読取処理で上記ＩＣカード２ａから読み取った定期券情報の有効期間と現在の日時とを比較することにより有効期間内であるかどうか判定する（ステップＳ１２）。上記ＩＣカード２ａの定期券情報が有効期間内であると判定した場合（ステップＳ１２、ＹＥＳ）、上記判定部１１２は、上記読取処理部１１１による読取処理で上記ＩＣカード２ａから読み取った定期券情報の有効区間と図示しないメモリに記憶されている路線情報などにより、当該駅（出場駅）が定期券の有効区間内であるかどうか判定する（ステップＳ１３）。
【００５２】
上記ＩＣカード２ａの定期券情報が有効区間内であると判定した場合（ステップＳ１３、ＹＥＳ）、上記判定部１１２は、上記ＩＣカード２ａの定期券情報により当該利用者の通行を許可する処理を行う（ステップＳ１４）。この場合、上記判定部１１２による通行を許可する旨の判定結果に基づいて、上記制御部１１は、当該利用者が改札口から出場できるように、上記改札機１の通行制御部１６によりドア（図示しない）を開放する。この際、上記制御部１１は、上記表示部１７により定期券情報によって出場可能である旨などの通行許可を示す案内を表示する。
【００５３】
上記ステップＳ１２あるいは上記ステップＳ１３において、定期券情報が有効期間外あるいは有効区間外であると判定した場合（ステップＳ１２でＮＯあるいはステップＳ１３でＮＯ）、上記改札機１の判定部１１２は、上記精算額算出部１２１によりＳＦカード機能で出場するために必要な金額を算出する処理を行う（ステップＳ１５）。上記精算額算出部１２１では、上記ＩＣカード２から読み取った入場情報および定期券情報から精算が必要な精算区間を判定する。精算区間を判定すると、上記精算額算出部１２１は、上記メモリ１３に記憶される運賃情報により上記精算区間に対する精算額（Ｗ円）を算出する（ステップＳ１５）。
【００５４】
上記精算額算出部１２１により精算額（Ｗ円）が算出されると、上記判定部１１２は、上記ＩＣカード２から読取った残額情報の金額（Ｙ円）が上記精算額算出部１２１により算出した精算額（Ｗ円）未満であるか否かを判定する（ステップＳ１６）。
【００５５】
上記ＩＣカード２から読み取った残額情報の金額（Ｙ円）が精算額（Ｗ円）以上であると判定した場合（ステップＳ１６、ＹＥＳ）、上記改札機１の制御部１１は、上記書換処理部１１３により上記ＩＣカード２の残額情報２５４ａの金額を元の残額（Ｙ円）から精算額（Ｗ円）を差し引いた金額（Ｙ−Ｗ円）に書き換える処理を行う（ステップＳ１７）。上記書換処理部１１３による書換処理が正常に完了すると、上記制御部１１は、当該利用者の出場を許可する処理を行う（ステップＳ１８）。この場合、上記制御部１１は、当該利用者が改札口から出場できるように、上記改札機１の通行制御部１６によりドア（図示しない）を開放する（ステップＳ１８）。この際、上記制御部１１は、上記表示部１７により書換え後の残額情報の金額などの通行許可を示す案内を表示する。
【００５６】
また、上記ステップＳ１６で上記ＩＣカード２の残額情報の金額（Ｙ円）が精算額（Ｗ円）未満であると判定された場合（ステップＳ１６、ＮＯ）、上記改札機１の判定部１１２では、上記払戻確認部１２２により上記ＩＣカード２から読み取った上記フラグ情報２５５に基づいて、定期券の払戻が許可されているか否かを判断する（ステップＳ１９）。上記判定部１１２の上記払戻確認部１２２により定期券の払戻が許可されているＩＣカード２であると判定された場合（ステップＳ１９、ＮＯ）、上記判定部１１２は、上記ＩＣカード２の残額不足のため当該利用者の出場を不可であると判定する。このような判定部１１２の判定結果に応じて、上記制御部１１は、当該利用者の出場を不可とする処理を行う（ステップＳ２０）。この場合、上記判定部１１２による通行を不可とする旨の判定結果に基づいて、上記制御部１１は、当該利用者が改札口から出場できないように、上記改札機１の通行制御部１６によりドア（図示しない）を閉鎖する。この際、上記制御部１１は、上記表示部１７により出場可能である旨などの通行不可を示す案内を表示する。
【００５７】
上記ステップＳ１９で定期券の払戻が許可されているＩＣカード２であると判定された場合（ステップＳ１９、ＹＥＳ）、上記判定部１１２では、図７のステップＳ２１に処理へ移行し、定期券の払戻を含む精算処理を行う。すなわち、上記ＩＣカード２の定期券の払戻が可能であると判定した場合、上記判定部１１２では、上記換算部１３１により上記ＩＣカード２から読取った定期券情報２５１ａの有効期間と有効区間とに基づいて、当該ＩＣカードの定期券を全て払戻した場合の金額（全額払戻の金額）を算出する（ステップＳ２１）。上記全額払戻の金額を算出すると、上記換算部１３１は、算出した全額払戻の金額を残りの有効期間（Ｘ日）で割ることにより、日割りの払戻金額（Ｚ円）を算出する（ステップＳ２２）。
【００５８】
上記換算部１３１により日割りの払戻金額を算出すると、上記払戻日数算出部１３２は、上記ＩＣカード２から読み取った残額情報２５４ａの金額（Ｙ円）に対する上記精算額算出部１２１により算出した精算額（Ｗ円）の不足金額（Ｙ−Ｗ円）と、上記換算部１３１により算出した日割りの払戻金額（Ｚ円）とに基づいて、上記不足金額を満たす為に必要な払戻日数（Ｖ日）を算出する（ステップＳ２３）。
【００５９】
上記払戻日数算出部１３２により払戻日数（Ｖ日）が算出されると、上記判定部１１２では、上記ＩＣカード２から読取った定期券情報２５１ａの残りの有効期間（Ｘ日）が上記払戻日数算出部１３２により算出した払戻日数（Ｖ日）以上であるか否かを判定する（ステップＳ２４）。上記ＩＣカード２の定期券の有効期間（Ｘ日）が払戻日数（Ｖ日）未満であると判定された場合（ステップＳ２４、ＮＯ）、上記判定部１１２は、残額及び定期券の残日数が不足しているため、当該利用者の通行を不可と判定する。このような上記判定部１１２による判定結果に応じて、上記制御部１１は、上記ＩＣカード２を提示した利用者の出場を不可と処理を行う（ステップＳ２５）。
【００６０】
上記ステップＳ２４で定期券の残りの有効期間（Ｘ日）が払戻日数（Ｖ日）以上である場合（ステップＳ２４、ＹＥＳ）、上記払戻金額算出部１３３は、上記換算部１３１により算出した日割りの払戻金額（Ｚ円）と上記払戻日数算出部１３２により計算した払戻日数（Ｖ日）とを積算することにより、払戻金額（Ｚ×Ｖ円）を算出する（ステップＳ２６）。
【００６１】
払戻日数及び払戻金額を算出すると、上記払戻判定部１２３は、上記ＩＣカード２から読み取った定期券情報２５１ａの有効期間（Ｘ日）から上記払戻日数算出部１３２により算出した払戻日数（Ｖ日）を減算することにより、新しい有効期間（Ｘ−Ｖ日）を判定する（ステップＳ２７）。さらに、上記払戻判定部１２３は、上記ＩＣカード２から読み取った残額情報２５４ａの金額（元の残額）（Ｙ円）に上記払戻金額算出部１３３により算出した払戻金額（Ｚ×Ｖ円）を加算し（ステップＳ２８）、さらに、元の残額情報の金額と払戻金額とを加算した金額（Ｙ＋Ｚ×Ｖ円）から上記精算額算出部１２１により算出した精算額（Ｗ円）を減算することにより、新しい残額情報の金額（新しい残額）（Ｙ＋Ｚ×Ｖ−Ｗ円）を判定する（ステップＳ２９）。
【００６２】
上記払戻判定部１２３により新しい有効期間と新しい残額とが判定されると、上記書換処理部１１３は、上記ＩＣカード処理部１５を介して、上記ＩＣカード２に対して、定期券情報の有効期間を新しい有効期間（Ｘ−Ｖ日）に書き換え（ステップＳ３０）、かつ、残額情報の金額を新しい残額（Ｙ＋Ｚ×Ｖ−Ｗ円）に書き換える（ステップＳ３１）。
【００６３】
上記書換処理部１１３による新しい有効期間及び新しい残額への書換処理が正常に完了すると、上記制御部１１は、当該利用者の出場を許可する処理を行う（ステップＳ３１）。この場合、上記制御部１１は、当該利用者が改札口から出場できるように、上記改札機１の通行制御部１６によりドア（図示しない）を開放する。この際、上記制御部１１は、上記表示部１７により当該ＩＣカード２に対する書換え処理後の定期券の有効期限、および、残額情報の金額などを通行許可を示す案内とともに表示する（ステップＳ３２）。
【００６４】
上述したように、本発明の一実施形態によると、上記ＩＣカードの残額が精算額に不足する場合、改札機は、ＩＣカードの定期券情報から払戻可能な金額的価値を算出し、不足金額に応じて定期券の有効期間を減算し、減算した有効期間に応じた金額をＩＣカードの残額に加算し、その定期券の払戻金額が現在の残額に加算された残額により、精算額の精算を行なうようにしたものである。これにより、利用者は、自身が特別な操作などを行わなくても、定期券の購入に使用した金銭的価値を必要に応じて自由に使用できる。この結果として、精算処理を効率的に実施でき、利用者の利便性を向上させることができる改札機などの精算処理装置及び精算処理方法を提供することができる。
【００６５】
なお、この発明は、上記実施形態そのままに限定されるものではない。上記実施形態では、改札機で払戻しを行なう構成としたが、精算機に適用してもよい。また、定期券情報と残額情報を有するＩＣカードを用いて精算を行なう機器であれば、如何なるものに物に適用しても、本旨を逸脱しない。例えば、小売店や自動販売機に設置されている精算処理端末が、小売店のレジ端末や自動販売機より精算額を受信し、利用者により提示された上記ＩＣカードに対して上記受信した精算額の精算を行う。ここで、上記精算処理端末では、上記ＩＣカードから読取った残額情報の金額が上記受信した精算額未満である場合、上記した払戻処理により精算を行うことが可能となる。
【００６６】
また、図１に示す精算機５あるいは券売機４で、上記ＩＣカード２の有効期間２０４の表示を、更新された定期券情報２５１ｂの有効期間の情報に書き換えられるようにしてもよい。さらに、上記精算機５あるいは券売機４で、フラグ情報２５５の設定を利用者の操作に応じて変更できるようにしてもよい。さらに、上記ＩＣカード２の不揮発性メモリ２５０内に、上記の払戻処理の履歴を残しておくようにし、上記精算機５あるいは券売機４で、上記履歴の払戻金額を補充することにより、上記払戻日数を復帰させるようにしてもよい。
【００６７】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６８】
【図１】一実施形態に係る定期券処理装置を中心として構成される、駅務システムの構成例を示す図である。
【図２】図１に示す改札機の構成を概略的に示すブロック図である。
【図３】図１に示すＩＣカードの内部構成例を概略的に示すブロック図である。
【図４】図１に示すＩＣカードの表示面の一例を示す図である。
【図５】図１に示すＩＣカードに対して実行される払戻処理及び精算処理を説明する為の説明図である。
【図６】図２に示す改札機において実行される払戻処理及び精算処理を説明するフローチャートである。
【図７】図２に示す改札機において実行される払戻処理及び精算処理を説明するフローチャートである。
【符号の説明】
【００６９】
１…改札機、２…ＩＣカード、４…券売機、５…精算機、１１…制御部、１５…ＩＣカード処理部（読取手段，書換手段）、１６…通行制御部（通行制御手段）、１７…表示部（報知手段）、１１１…読取処理部（読取手段）、１１２…判定部（判定手段）、１１３…書換処理部（書換手段）、１２１…精算額算出部（精算額算出手段）、１２２…払戻確認部（払戻確認手段）、１２３…払戻判定部（払戻判定手段）、１３１…換算部、１３２…払戻日数算出部（払戻日数算出手段）、１３３…払戻金額算出部（払戻金額算出手段）、２５１…定期券情報、２５２…区間情報、２５３…有効期間情報、２５４…残額情報、２５５…フラグ情報、２５６…入出場情報。
【図１】
2008090429.tif 000003
【図２】
2008090429.tif 000004
【図３】
2008090429.tif 000005
【図４】
2008090429.tif 000006
【図５】
2008090429.tif 000007
【図６】
2008090429.tif 000008
【図７】
2008090429.tif 000009